(57)【要約】【課題】使い勝手が良く、かつ、天板を容易に拡張して使用できるダイニングテーブルを提供する。【解決手段】ダイニングテーブル１０は、一対の長辺枠部材１２及び一対の短辺枠部材１３により平面視が矩形に形成されていて、一対の長辺枠部材１２の上面には、天板２０のスライド移動をガイドするためのガイド路１２１が形成されている受枠台１１と、受枠台１１の上面を覆う平面視が矩形の板材を有し、板材の下面には、長辺の一端側に後記のピンが嵌まる孔が形成されており、かつ、長辺沿いに、ガイド路１２１を転がる複数個の戸車２１が埋設されていて、受枠台１１に配置された状態において、長辺方向へスライド移動可能な天板２０と、受枠台１１の四隅に上端部分が連結されており、上下に長手をした４本の脚と、を含む。【選択図】図１
2019103605.tif 000002
【特許請求の範囲】
【請求項１】
一対の長辺枠部材及び一対の短辺枠部材により平面視が矩形に形成されていて、前記一対の長辺枠部材の上面には、天板のスライド移動をガイドするためのガイド路が形成されている受枠台と、
前記受枠台の上面を覆う平面視が矩形の板材を有し、前記板材の下面には、長辺の一端側に後記のピンが嵌まる孔が形成されており、かつ、長辺沿いに、前記ガイド路を転がる複数個の戸車が埋設されていて、前記受枠台に配置された状態において、前記長辺方向へスライド移動可能な天板と、
前記受枠台の四隅に上端部分が連結されており、上下に長手をした４本の脚と、
を含むことを特徴とする、ダイニングテーブル。
【請求項２】
前記受枠台の長辺方向一端側に設けられ、上下に変位するロックピンを備え、前記ロックピンが前記天板の下面の孔に侵入することにより、前記天板のスライド移動を禁止する天板ストッパーをさらに有することを特徴とする、請求項１に記載のダイニングテーブル。
【請求項３】
前記受枠台の長辺方向一端側に設けられ、前記天板をスライド移動させることにより露出する浅い舟形の収容室をさらに有することを特徴とする、請求項１または２に記載のダイニングテーブル。
【請求項４】
前記受枠台の長辺方向他端側に収容され、前記他端側から引き出して前記受枠台に配置することにより、前記天板がスライド移動して露出した前記収容室を覆う拡張天板をさらに有することを特徴とする、請求項３に記載のダイニングテーブル。
【発明の詳細な説明】
【技術分野】
【０００１】
本発明は、ダイニングテーブルに関する。
【背景技術】
【０００２】
ダイニングテーブルの従来例が、特許文献１〜３に開示されている。
特許文献１に開示されたダイニングテーブルは、メインテーブルと、メインテーブルの天板と同一高さの天板を有するサブテーブルと、メインテーブルとサブテーブルとの天板端縁を固定する固定手段とを備えるもので、ダイニングテーブルを拡張して使用することができるものである。
【０００３】
特許文献２に記載のダイニングテーブル（伸縮テーブル）も、親テーブルと、親テーブル中に収容される子テーブルからなり、親テーブルから子テーブルを引き出して、テーブルを拡張して使用できるものである。
特許文献３に記載のダイニングテーブルは、天板３の上面中央に誘導加熱器４が組み込まれたものが提案されている。
【先行技術文献】
【特許文献】
【０００４】
【特許文献１】特開２００１−３１４２４３号公報
【特許文献２】特開２００６−３４６３６２号公報
【特許文献３】特開２００７−２５９９３３号公報
【発明の概要】
【発明が解決しようとする課題】
【０００５】
従来のダイニングテーブルは、特許文献１や２に記載のように天板を拡張して使用する構成の場合、拡張する天板にも脚が設けられているから、拡張しない使用状態のときには、拡張天板の扱いや収納が煩雑であるという課題がある。
また、ダイニングテーブルの天板上に調理器具を配した構成では、調理器具が天板中央にあり、かつ、常にそこにあるから、ダイニングテーブルとしての使い勝手が制限される等の課題がある。
【０００６】
本発明は、上記の課題を解決して、使い勝手が良く、かつ、天板を容易に移動または拡張して使用できるダイニングテーブルを提供することを主たる目的とする。
【課題を解決するための手段】
【０００７】
本発明は、上記目的を達成するために、請求項１記載の発明は、一対の長辺枠部材及び一対の短辺枠部材により平面視が矩形に形成されていて、前記一対の長辺枠部材の上面には、天板のスライド移動をガイドするためのガイド路が形成されている受枠台と、前記受枠台の上面を覆う平面視が矩形の板材を有し、前記板材の下面には、長辺の一端側に後記のピンが嵌まる孔が形成されており、かつ、長辺沿いに、前記ガイド路を転がる複数個の戸車が埋設されていて、前記受枠台に配置された状態において、前記長辺方向へスライド移動可能な天板と、前記受枠台の四隅に上端部分が連結されており、上下に長手をした４本の脚と、を含むことを特徴とする、ダイニングテーブルである。
【０００８】
請求項２記載の発明は、前記受枠台の長辺方向一端側に設けられ、上下に変位するロックピンを備え、前記ロックピンが前記天板の下面の孔に侵入することにより、前記天板のスライド移動を禁止する天板ストッパーをさらに有することを特徴とする、請求項１に記載のダイニングテーブルである。
請求項３記載の発明は、前記受枠台の長辺方向一端側に設けられ、前記天板をスライド移動させることにより露出する浅い舟形の収容室をさらに有することを特徴とする、請求項１または２に記載のダイニングテーブルである。
【０００９】
請求項４記載の発明は、前記受枠台の長辺方向他端側に収容され、前記他端側から引き出して前記受枠台に配置することにより、前記天板がスライド移動して露出した前記収容室を覆う拡張天板をさらに有することを特徴とする、請求項３に記載のダイニングテーブルである。
【発明の効果】
【００１０】
本発明によれば、天板は戸車の作用により、軽くスムーズにスライド移動させることができる。そして、天板をスライド移動させることにより、収容室を露出させたり、露出した収容室を拡張天板で覆って使用したりと、用途に合わせて、勝手良く使用することができる。
【図面の簡単な説明】
【００１１】
【図１】図１は、本発明の一実施形態に係るダイニングテーブル１０の斜視図である。
【図２】図２は、本発明の一実施形態に係るダイニングテーブル１０の正面図であり、天板２０をスライド移動させていない通常の使用状態を示す図である。
【図３】図３は、本発明の一実施形態に係るダイニングテーブル１０の正面図であり、天板２０をスライド移動させた使用状態を示す図である。
【図４】図４は、本発明の一実施形態に係るダイニングテーブル１０を斜め下方から見た分解斜視図である。
【図５】図５は、本発明の一実施形態に係るダイニングテーブル１０を下方から見た斜視図である。
【図６】図６（Ａ）（Ｂ）は、天板ストッパー２７の構成を説明するための図である。
【図７】図７は、本発明の一実施形態に係るダイニングテーブル１０の使用方法の一例を説明するための図である。
【発明を実施するための形態】
【００１２】
以下では、図面を参照して、本発明の実施形態について具体的に説明をする。
図１は、本発明の一実施形態に係るダイニングテーブル１０の斜視図である。図２は、ダイニングテーブル１０の正面図であり、天板２０をスライド移動させていない通常の使用状態を示す図である。図３は、ダイニングテーブル１０の正面図であり、天板２０をスライド移動させた使用状態を示す図である。さらに、図４は、ダイニングテーブル１０を斜め下方から見た分解斜視図である。
【００１３】
図１〜４を参照して説明すると、ダイニングテーブル１０は、受枠台１１と、天板２０と、脚３０とを含む。
受枠台１１は、相対的に長い一対の長辺枠部材１２及び相対的に短い一対の短辺枠部材１３を有し、これら長辺枠部材１２及び短辺枠部材１３によって平面視が矩形に構成されている。一対の長辺枠部材１２の上面には、ガイド路としてのガイド溝１２１が形成されている。
【００１４】
また、受枠台１１には、浅い舟形の収容室１４が備えられている。収容室１４は、受枠台１１の長辺方向一端寄りに設けられている。収容室１４は、より具体的には、図４に示すように、底板１４１、長側壁１４２、一対の短側壁１４３、角壁１４４，１４５及び一端側の短辺枠部材１３によって囲われ、上面が開放した浅い舟形をしている。収容室１４は、一例として、電磁調理器や誘導加熱器等の卓上で使える調理器具が収まる容積をしている。なお、収容室１４は、調理器具以外の種々のモノの収容に用いることができる。
【００１５】
天板２０は、受枠台１１の上面を覆う平面視が矩形の板材を含む。天板２０の下面には、相対向する長辺に沿って、複数個の戸車２１が埋設されている。この実施形態では、戸車２１は、天板２０の長辺方向一端寄りの位置から相対向する長辺に沿って、それぞれ、長辺方向に所定の間隔を開けて、例えば３個が埋設されている。そして、スライド移動される移動先端側３分の１程度の天板２０の下面には、戸車２１は設けられていない構成である。
【００１６】
天板２０は、受枠台１１上に配置されると、戸車２１が長辺枠部材１２の上面に形成されたガイド溝１２１に係合する。そして天板２０は、戸車２１によってその重量が支持されるので、戸車２１の転動性により、天板２０は戸車２１を介してガイド溝１２１に案内され、受枠台１１上を軽くスムーズにスライド移動し得る構成となっている。
なお、長辺枠部材１２の上面に形成されたガイド溝１２１に代えて、ガイド路としてのガイドレールを設け、このガイドレール上を転動する形態の戸車を用いてもよい。
【００１７】
また、この明細書では、天板２０に「戸車」を設ける構成としているが、「戸車」は、天板をスライド移動させる為の転動部材の代表例として用いているものであり、呼び方を代えた「球体コロ」「滑車」などの転動部材であってもかまわない。
天板２０の下面には、また、スライド係止部材２２が設けられている。スライド係止部材２２は、天板２０が長辺方向にスライド移動する際に、天板２０が正規のスライド方向からずれることがないようにすると共に、天板２０が受枠台１１から持ち上がったり、外れたりすることがないようにするものである。スライド係止部材２２は、天板２０下面の長辺方向一端寄りの位置から相対向する長辺に沿って、戸車２１のやや内方の天板２０の幅方向両側の位置に、対をなして設けられている。
【００１８】
一方、受枠台１１には、天板２０の下面に設けられたスライド係止部材２２と係合する固定側係止部材１５が設けられている。固定側係止部材１５は、一対の長辺枠部材１２間に嵌められた底板１５１の上面に取り付けられている。固定側係止部材１５は、受枠台１１の長辺方向に延びる長手部材であり、受枠台１１の幅方向両側の位置に、対をなして設けられている。
【００１９】
一対のスライド係止部材２２は、長さ方向に直交する断面視がＬ形をし、天板２０の幅方向外側に突出する係合竿２２１をそれぞれ有する。また、一対の固定側係止部材１５は、長さ方向に直交する断面視が逆Ｌ形をし、受枠台１１の幅方向内側に突出する係合竿１５２をそれぞれ有する。
受枠台１１上に天板２０がスライド移動可能に載置された状態では、天板２０の下面に設けられた一対のスライド係止部材２２と、受枠台１１に設けられた一対の固定側係止部材１５とが、天板２０の長辺方向に係合し、係合竿２２１及び係合竿１５２の係合により、天板２０は、受枠台１１の上を長辺方向にスライド移動できるが、天板２０は、受枠台１１から持ち上げられたり、受枠台１１の幅方向に位置ずれを生じることは阻止される。
【００２０】
天板２０が長辺方向他端側へスライド移動したとき、天板２０の下面に設けられた一対のスライド係止部材２２の移動方向先端側が短辺枠部材１３に当接することにより、天板２０のスライド移動は止まり、それ以上、天板２０は長辺方向他端側へは移動しない。逆に、天板２０が長辺方向一端側へスライド移動したとき、天板２０の下面に設けられた一対のスライド係止部材２２の移動方向先端側（長辺方向一端側）が、受枠台１１の長辺方向一端側の短辺枠部材１３に当接することにより、天板２０の長辺方向一端側へのスライド移動は止まる。このように、この実施形態では、受枠台１１の一対の短辺枠部材１３が、それぞれ、天板２０のスライド移動を規制する部材として機能している。
【００２１】
図１を主として参照して、ダイニングテーブル１０には、さらに拡張天板２５が備えられていてもよい。拡張天板２５は、天板２０がスライド移動され、受枠台１１の収容室１４が露出された状態において、収容室１４の上を覆い隠すように受枠台１１に載置される板である。
拡張天板２５は、使用しない場合（収容室１４の上を覆うように受枠台１１上に載せない場合）には、受枠台１１内に収納されている。
【００２２】
図４を主として参照して、受枠台１１の長辺方向他端側の短辺枠部材１３には、入出孔１３１が形成されている。入出孔１３１は、短辺枠部材１３の長さ方向に沿って長手をした孔で、その長さＬは、拡張天板２５の長さＬ０よりもやや長く（一例として、１．０ｍｍ程度）されており、その幅Ｗは、拡張天板２５の厚みＷ０よりもやや大きく（一例として、０．５〜１．０ｍｍ程度）されている。そのため、拡張天板２５は、受枠台１１の外方から、入出孔１３１を通して、受枠台１１内へ出し入れすることができる。
【００２３】
入出孔１３１が形成された短辺枠部材１３の内側には、一対の固定側係止部材１５が取り付けられた底板１５１が設けられている。底板１５１上における一対の固定側係止部材１５の取り付け位置は、底板１５１の幅方向両側であり、入出孔１３１を通して挿入される補助天板２５は、底板１５１で受け止められる。
受枠台１１には、さらに、底板１５１と底板１４１との間に、両端が長辺部材１２に連結された補強板１６が備えられている。そして、補強板１６の上面中央には、突き当て板１６１が設けられている。
【００２４】
入出孔１３１を通して挿入される拡張天板２５は、底板１５１で受け止められ、挿入側先端が突き当て板１６１に当接した状態で、収納が完了する。収納完了状態では、拡張天板２５の一端が入出孔１３１からわずかに突出している（図２を参照）。そして、拡張天板２５の一端下面には、手指を掛ける凹部２５１が形成されている（図４を参照）ので、この凹部２５１を利用して、拡張天板２５を容易に引き出すことができる。
【００２５】
図５は、ダイニングテーブル１０を下方から見た斜視図である。図５を参照して、受枠台１１の長辺方向一端寄りには、収容室１４を区画する底板１４１が備えられているが、底板１４１は脚３０に接する部位が凹欠されている。このため、収容室１４は、脚３０に接する部位に、上下方向に貫通する空隙１７が形成されている。そして、この空隙１７の側壁には、天板ストッパー２７が設けられている。
【００２６】
図６（Ａ）（Ｂ）は、天板ストッパー２７の構成を説明するための図である。図６（Ａ）（Ｂ）を参照して、天板ストッパー２７は、空隙１７を区画する角壁１４４，１４５の一方の角壁１４５に取り付けられており、左右にそれぞれ１個ずつ設けられている。天板ストッパー２７は、筐体２７１と、筐体２７１に対して垂直方向に往復変位し得るピン２７２と、筐体２７１の側面に設けられたピン２７２をリリースするためのリリースボタン２７３とを有している。図６（Ｂ）に示すように、ピン２７２は、下方から手で押し上げることにより、その上端のピン先が角壁１４５、長辺枠部材１２及び短辺枠部材１３で囲まれた空隙１７から上方へ突出して止まる。
【００２７】
また、図６（Ａ）に示すように、リリースボタン２７３を押すと、上方へ突出して止まっているピン２７２は、筐体２７１に内蔵されたばねにより降下され、ピンの先端は空隙１７内へ戻る。
天板２０の下面には、長辺方向一端側に、上方へ突出して止まっているピン２７２を受け入れるストッパ孔２３（図４を参照）が形成されている。そして、天板２０が受枠台１１に載置された通常使用時には、天板２０がスライド移動できないように、上方へ突出されたピン２７２が天板２０下面のストッパ孔２３に挿入されている。
【００２８】
図７は、ダイニングテーブル１０の使用方法の一例を説明するための図である。天板２０をスライド移動させ、露出した収容室１４を拡張天板２５で覆う場合には、図７に示すように、まず、拡張天板２５を受枠台１１から引き出す。そして、天板ストッパー２７のリリースボタン２７３を押して、ピン２７２を降下させる。すると、天板２０はスライド移動可能となるので、天板２０を停止位置までスライド移動させる。このとき、天板２０は戸車２１の働きにより、軽くスムーズに移動する。そして、天板２０がスライド移動することにより露出した収容室１４を覆うように、拡張天板２５を受枠台１１に載せる。そして、天板ストッパー２７のピン２７２を上方へ押し上げる。拡張天板２５の下面にも、ピン２７２を受け入れるストッパ孔２３（図４を参照）が形成されている。よって、受枠台１１に載せられた拡張天板２５は、天板ストッパー２７のピン２７２によって、所定の位置に確実に固定される。
【００２９】
上記は、天板２０をスライド移動させ、露出した収容室１４を拡張天板２５で覆う使用例を説明した。しかし、拡張天板２５を受枠台１１から引き出さず、天板２０をスライド移動させて収容室１４を露出させ、収容室１４にたとえば調理器具を配置して調理器で調理しながらダイニングテーブル１０を使用するといった使用方法をとることもできる。
その際に、調理器具（電磁調理器や誘導加熱器）の電源プラグを挿入できるように、収容室１４の隅に、コンセントボックス３４が取り付けられた構成としてもよい（図１を参照）。その場合、コンセントボックス３４につながる電源コードを、脚３０に埋設できる構成とすれば、電源コードが邪魔にならず、使い勝手が良い。
【００３０】
また、上記実施形態では、ダイニングテーブル１０は拡張天板２５を有する構成を説明した。しかし、本発明のダイニングテーブル１０は、天板２０がスライド移動し得る構成であればよく、拡張天板２５が省略された構成であってもよい。
さらに、収容室１４を省略したダイニングテーブルであってもよい。この場合は、天板２０をスライド移動させた場合に、その移動跡に、収容室１４ではなく、テーブル台（一段低い天板）が表われるような構成としてもよい。
【００３１】
その他、この発明は、以上説明した実施形態に限られるものではなく、請求項記載の範囲内において、種々の変更が可能である。
【符号の説明】
【００３２】
１０    ダイニングテーブル
１１    受枠台
１２    長辺枠部材
１２１    ガイド溝
１３    短辺枠部材
１３１    入出孔
１４    収容室
１４１    底板
１４２    長側壁
１４３    短側壁
１４４、１４５    角壁
１５    固定側係止部材
１５１    底板
１５２    係合竿
１６    補強板
１６１    突き当て板
１７    空隙
２０    天板
２１    戸車
２２    スライド係止部材
２２１    係合竿
２３    ストッパ孔
２５    拡張天板
２５１    凹部
２７    天板ストッパー
２７１    筐体
２７２    ピン
２７３    リリースボタン
３０    脚
３４    コンセントボックス
【図１】
2019103605.tif 000003
【図２】
2019103605.tif 000004
【図３】
2019103605.tif 000005
【図４】
2019103605.tif 000006
【図５】
2019103605.tif 000007
【図６】
2019103605.tif 000008
【図７】
2019103605.tif 000009